(57)【要約】      （修正有）【課題】運動能力が成人者に比べ劣る高齢者や幼児にも野球のエッセンスが充分楽しめ、しかも安全にプレーできる疑似野球ゲーム用具を提供する。【解決手段】野球はボールを投げ、打ち、守るゲームであるが、本用具は転がるボールで行う疑似野球を行うために考案した。投手が投球用具７１を用いて打者にボールを転がし、打者は打撃用具７３を用いてこのボールを打ち、守備者は守備用具を用いて打球を捕球する。投球の判定のために投球判定用具７２を用い、打球の判定のために打球判定用具７５を用いる。打球が遠くへ行き過ぎるのを防ぐために外野フェンス用具７６を用いる。【選択図】図８
0003114584.tif 000002
【実用新案登録請求の範囲】
【請求項１】
筒または樋状のボールガイドを有し入力はスティックによる投球用具と、投球用具から発射されるボール（投球とする）を判定するための一方向に開口部を有し他の３方向は壁面で囲われた投球判定用具と、投球を打ち返す（打ち返されたボールを打球とする）ためのスティック状の打撃用具と、打球を捕球するための一方向に開口部を有し他の３方向は壁面で囲われこれを操作するためのハンドルよりなる打撃用具と、この用具の内側に打球が止まったときに当該打者の打撃成績を決めるための一方向に開口部を有し他の３方向は壁面で囲われた打球判定用具および打球がプレー地域外へ出るのを防止する杭とロープよりなる外野フェンス用具を使うことを特徴とする擬似野球ゲーム用具。
【請求項２】
請求項１の擬似野球ゲーム用具において前記打撃用具の打撃面が曲面を有するスティック状の打撃用具を使うことを特徴とする擬似野球ゲーム用具。
【請求項３】
請求項１の擬似野球ゲーム用具において前記打撃用具のハンドル部に打撃部垂線と角度を有するスティック状の打撃用具を使うことを特徴とする擬似野球ゲーム用具。
【請求項４】
請求項１の擬似野球ゲーム用具において前記打球判定用具の形状を四方に凸状の壁を設け、この壁部の外周の一部または全部に勾配を付けたことを特徴とする擬似野球ゲーム用具。
【考案の詳細な説明】
【技術分野】
【０００１】
本実用新案は運動能力が成人者に比べ劣る高齢者や幼児にも野球のエッセンスが充分楽しめ、しかも安全にプレーできる疑似野球を行うための用具に関するものである。
【背景技術】
【０００２】
野球やソフトボールは、運動能力が成人者に比べ劣る一般的高齢者や幼児にとってプレーを楽しむには無理がある。しかし、楽しく運動をしたいという気持ちがある人がいる。
【０００３】
現在  本実用新案と類似して行われているものに、ゲートボール、グランドゴルフがある。共にグランド上の止まったボールを打つゲームで、野球のように動いているボールを打つというものではない。
【０００４】
【特許文献１】特開２０００−２２９１４１号公報
【特許文献２】特開昭５９−８２８７４号公報
【考案の開示】
【考案が解決しようとする課題】
【０００５】
高齢化社会にますます拍車がかかっている現在、高齢者でも安心して楽しめる野外スポーツは、例えば、グランドゴルフ、ゲートボール、ウォーキング等があるが少ない。本考案は、運動能力が成人者に比べ劣る一般的高齢者や幼児が野球のエッセンスが充分楽しめ、しかも安全にプレーできる疑似野球を行うための用具を提供することである。  
【課題を解決するための手段】
【０００６】
安全性を確保するため、本擬似野球ゲームの全てのプレー（投球や打撃等の全てのプレー）を転がるボールにより行うことを基本とする用具を考案した。
【０００７】
そのために図８のようにそれぞれの用具を基本配置し、安全にそして楽にプレーをすることが可能になった。以下に課題解決の内容を説明する。
【０００８】
投球用具は投球をある範囲にそれほどの集中力の持続を要さずに転がすために考案したもので図１および図２に示した。構成は、打者の打ち易い範囲にボールを転がすためのガイド（１）とボール押し出し板（２）、入力受け板（３）、（２）と（３）をつなげるジョイント（４）、ジョイント部の摩耗を軽減し滑りを良くするためのブッシュ（５）、ボール押し出し板を１回の投球が終わる度に元の位置に戻すための弾性部材（６）、ガイドに勾配を付けるための枕（７）、以上を乗せ、併せてグランドに固定するための底板（８）よりなる。底板（８）には、スティックの衝撃で動かないために穴をあけ、釘状のものでグランドに固定する。
ガイドとしては、図1.では樋・筒状の組み合わせたものを示したが樋状や筒状でも良い。筒状のガイドにはボール（９）をセットし易い様に上部にボールよりも大きい穴を明けても良い。ガイド下の枕（６）は、ボールをセットした時に自動的にボール押し出し板側に寄るように勾配を付けるためのものである。投手は、図１にボールをセットした後、図２のスティックを用いて図１の（３）を打つ。これにより（１）の開口側からボールが転がり出る。これを投球と呼ぶ。図２のスティックで（３）を打つ強さを加減することにより打者との駆け引きが可能である。
【０００９】
投球の判定は図３に示す投球判定用具で行う。１方向に開口部（２３）を有する壁
部（２１）と底部（２２）よりなり、投球判定用具へ投球が入って止まっているかどうかでストライク、ボールを判定する。底と外周の壁よりなるが壁だけでも良い。この場合はボールが入り口線（２３）の内にあるのか外なのかを明確にするために約５ｍｍ以上の高さを有する部材で（２１）の両端を結ぶ。壁はパイプ状の物でも良い。用具が投球や風等により動かされないために釘状のものでグランドに固定する。
強すぎる投球は、コースはストライクの範囲でも投球判定用具の壁（２１）を越えてしまうのでボールの判定となる。従って投球を無闇に強くするという危険を伴う競争を避けることができる。
【００１０】
打撃用具は図４に示すスティックで、打球面（３２）が表裏両面ともに曲面となっている打球部（３１）とハンドル（３３）とからなる。打球面が表裏両面にあることにより１本のスティックで右左両打席での打撃が可能となる。また打球面が曲面であることにより打者の考えた方向以外に転がることがあるので面白さが増す。また打球部（３１）の垂線（３４）とハンドル（３３）とに角度（３５）を付けてある。これは、打席と本塁ベースが離れており打者と打球ポイントに距離があるため垂線上にハンドルがあるスティックに比べ打ち易くするためである。角度（３５）は１５゜〜２０゜程度が適当である。また  野球のバットの感触を味わえるようにグリップエンドにふくらみ（３６）を付けることもある。
【００１１】
守備用具を図５に示した。（４１）部の捕球部と（４２）のハンドル、これをつなぐステ−部（４３）よりなる。打球を（４１）に入れればアウトになる。野手はボールが（４１）に入った後にボールを出にくくするため、（４４）の角部を支点に開口部（４５）を上げることができる。角部（４４）は必ずしも直角でなくＲを付けた曲面にしても良い。また、捕球部（４１）の両サイドの壁板（４６）は高さを低くしたり外したりしても良い。また、チーム人数が９人に満たないときは、不足人分の守備位置に守備用具をグランドに固定し、（４１）の中に打球が止まればアウトとする。この場合（４２）（４３）を外して使っても良い。  
【００１２】
打球の判定はどこに打球が止まったかにより行う。図６に示す打球判定用具を使う
ことにより、１・２・３・本塁打やアウトのゾーンを作る。打球判定用具は１方向に開口部（５３）を有する壁部（５１）と底部（５２）よりなる。壁のみでも良いし底のみでも良い。壁のみの場合はボールが入り口線（５３）の内にあるのか外なのかを明確にするために約５ｍｍ以上の高さを有する部材で（２１）の両端を結ぶ。壁はパイプ状の物でも良い。また、図６−１のように周囲を壁で囲い壁の外周部に勾配（５４）を付けたものを使うこともある。
用具が打球や風等により動かされないために釘状のものでグランドに固定する。１・２・３・本塁打やアウトのために使う打球判定用具には、それぞれに色を付けたり内容を書くとわかり易い。例えば本塁打用は緑色として底がある場合はそこに［ＨＲ］、アウト用には赤色として底がある場合はそこに［０］という具合である。
【００１３】
図７は外野フェンス用具である。ロープ（６１）と杭（６２）よりなる。打球が遠方へ行くことと無闇に強く打つことを防ぐものでこれを外野最外周に設置する。下段のロープのグランドからの高さとロープ間隔はボールの外径よりも小さくする。安全のため、外野フェンス用具を超えた打球はアウトとする。
【考案を実施するための最良の形態】
【００１４】
転がるボールにより行うことを基本とした高齢者や幼児にも野球のエッセンスが充分楽しめ、しかも安全にプレーできる疑似野球を行うための用具を考案したことにより高齢者・幼児が楽しく運動でき、高齢者の寝たきり化の防止や幼児の体力増強に貢献できる。
【００１５】
以下、本考案の実施の形態を図面に基づき詳細に説明する
【００１６】
それぞれのチームの人数が各１０名、内  各１名が監督で、他の１名が審判である場合を例にとって説明する。
（イ）グランドに石灰等でラインを引きベースを描く。
（ロ）投球用具、投球判定用具、打球判定用具をグランドの所定の位置にセットする。
図８は、セットした一例である。
（ハ）監督が各メンバーの守備位置と打順を決める。
（二）後攻側は、それぞれの守備位置に着き、野手は図５の守備用具の（３３）を手にして打球を待つ。投手は図１の側に図２の用具を持って立ち、ボールを図１にセットする。捕手は投球判定用具の後方に立つ。この時、内野手は塁間を結ぶ線よりも前に位置してはならず、外野手は外野フェンスと塁間の中間点より前に位置してはならない。
（ホ）先攻側は、１人が左右どちらかの打席（７７）に図３の打撃用具を持って立つ。
【００１７】
（ヘ）主審のプレイボールの声でゲームが始まる。投手が投球準備を完了した時に主審は笛等で投球して良いという合図を送る。この合図で野手は打球の判定が完了するまで前後左右への動くことが禁止となる。これは動いている打球を、守備用具を持って追いかけるという危険な動作を避けるためである。
（ト）主審の合図の前ならば監督の指示や野手の判断で守備位置を許容範囲内で前後左右へ移動することができる。主審の合図は投球前に１球毎に行う。
【００１８】
（へ）合図の後に投手が図３の投球判定用具へ向かって投球する。（ａ）
【００１９】
（ト）投球を打者が打たなかった時。投球判定用具に投球が入って止まっているかどうかでストライク、ボールを判定する。従ってストライク、ボールの判定でトラブルとなることがない。強い投球はコースがストライクの範囲でも投球判定用具の（２７）の壁を越えてしまいボールの判定となる。三振や四球は一般の野球と同じである。捕手はこのボールを拾い投手に転がして返球する。
【００２０】
（チ）投球を打者が打った時。ファウルボールかフェアボールかの判定は一般の野球と同様で例えば打球が１、３塁ベースの左右どちらかを通過したかにより判定する。
（ｂまたはｃがファウルボールとなる）フェアボールの時は、打球が止まるまで待つ。どこに止まったかによって判定する。基本的には打球が内野に止まったときにはアウト、外野に止まったときには単打とするが、打球判定用具の中に止まったときにはこちらを優先する。つまり（７５−５）入って止まれば本塁打（ｄ）、（７５−１）ならば単打、（７５−３）に入ればアウトとなる。
【００２１】
（リ）守備について。安全のため、野手の動きは投球開始後打球が止まるまでは打球が守備用具７４−１〜７に入ったときに出てしまうのを防ぐため（４４）の角部を支点に入り口側（４５）を上げる動作のみとし、守備用具を持って前後左右には動いてはいけない。
（ヌ）安全のため、外野フェンス用具を超えた打球はアウトとする。
（ル）打球がアウトの判定でなかった時には打者は走者となり、成績に応じた塁へ進むことができる。また、既に出塁していた走者がいた時は打者の成績により進塁する。進塁は、打球の判定が決まったのを見届けた後に行うので各人の能力に合った方法でできる。つまり歩いても良く、走っても良い。
走者が２塁にいたときの打者の打撃結果が２塁打であったとき、走者は２つの進塁権が得られるので３塁、本塁と進むことができ得点１が得られる。
（ヲ）止まった打球は判定が確定した後に近くの人が手で拾い、走者の進塁が終わった後に投手に転がして返球する。投手はこれを受けて次の投球の準備を行う。
【００２２】
（ワ）一般の野球と同様、１イニングでスリーアウト前に本塁に帰った人の数が得点となり、決められたイニング数を行った後の合計得点で勝敗を競う。  
【００２３】
（カ）イニング毎に守備位置を交代することで、プレーヤーが機会均等に楽しむことが可能となる。
【図面の簡単な説明】
【００２４】
【図１】投球用具−１の半断面図である。
【図２】投球用具−２の外観図である。
【図３】投球判定用具の外観図である。
【図４】打撃用具の外観図である。
【図５】守備用具の外観図である。
【図６】打球判定用具の外観図である。
【図６−１】打球判定用具の外観図である。
【図７】外野フェンス用具の正面図である。
【図８】全体の配置を示す平面図である。
【符号の説明】
【００２５】
１  ボールガイド
２  ボール押し出し板
３  入力受け板
４  ボール押し出し板と入力受け板のジョイント
５  ブッシュ
６  弾性材
７  ボールガイドに勾配をつけるための枕
８  底板
９  ボール
１１  打球部（投球用具用）
１２  ハンドル（投球用具用）
２１  壁部（投球判定用具用）
２２  底部（投球判定用具用）
２３  開口部（投球用用具具用）
３１  打球部（打撃用具用）
３２  打球面（打撃用具用）
３３  ハンドル（打撃用具用）
３４  打球部垂線
３５  打球部垂線とハンドルの角度
３６  グリップエンド
４１  捕球部
４２  ハンドル（守備用具用）
４３  ステ−
４４  支点
４５  開口部（守備用具用）
４６  壁板（守備用具用）
５１  壁部（打球判定用具用）
５２  底部（打球判定用具用）
５３  開口部（打球用用具具用）
５４  勾配
６１  ロープ
６２  杭
７１  投球用具用
７２  投球判定用具
７３  打撃用具
７４−１  一塁手用守備用具
７４−２  二塁手用守備用具
７４−３  三塁手用守備用具
７４−４  遊撃手用守備用具
７４−５  左翼手用守備用具
７４−６  中堅手用守備用具
７４−７  右翼手用守備用具
７５−１  単打用打球判定用具
７５−２  ２塁打用打球判定用具
７５−３  アウト用打球判定用具
７５−４  ３塁打用打球判定用具
７５−５  本塁打用打球判定用具
７６  外野フェンス用具
７７  打席
７８  一塁ベース
７９  ２塁ベース
８０  ３塁ベース
８１  本塁ベース
ａ    投球
ｂ    ファウルボールの打球
ｃ    ファウルボールの打球
ｄ    本塁打の打球
【図１】
0003114584.tif 000003
【図２】
0003114584.tif 000004
【図３】
0003114584.tif 000005
【図４】
0003114584.tif 000006
【図５】
0003114584.tif 000007
【図６】
0003114584.tif 000008
【図６−１】
0003114584.tif 000009
【図７】
0003114584.tif 000010
【図８】
0003114584.tif 000011